(57)【要約】【課題】リンパ管の流れを、加圧した場合以上に、より活性化する下肢被覆材を提供すること。【解決手段】位置固定するための留め部と、前方に位置し、斜め方向に配置された第１加圧部と、後方に位置し、上下方向に配置された第２加圧部と、を含む下肢用の被覆材であり、前記第１加圧部と前記第２加圧部には、発熱繊維が前記下肢用の被覆材から突出して配置されている下肢用の被覆材を用いる。また、位置固定するための留め部と、中央に位置し、発熱繊維が、長手方向に垂直方向に配置された第１加圧部と、両端に位置し、前記発熱繊維が、前記長手方向に平行方向に配置された第２加圧部と、を含む関節用の被覆材であり、前記第１加圧部と前記第２加圧部には、前記発熱繊維が前記関節用の被覆材から突出して配置されている関節用の被覆材を用いる。【選択図】図１
2016089290.tif 000002
【特許請求の範囲】
【請求項１】
位置固定するための留め部と、
前方に位置し、斜め方向に配置された第１加圧部と、
後方に位置し、上下方向に配置された第２加圧部と、を含む下肢用の被覆材であり、
前記第１加圧部と前記第２加圧部には、発熱繊維が前記下肢用の被覆材から突出して配置されている下肢用の被覆材。
【請求項２】
前記発熱繊維の密度は、側面の密度が、前後面の密度より大きい請求項１記載の下肢用の被覆材。
【請求項３】
位置固定するための留め部と、
中央に位置し、発熱繊維が、長手方向に垂直方向に配置された第１加圧部と、
両端に位置し、前記発熱繊維が、前記長手方向に平行方向に配置された第２加圧部と、を含む関節用の被覆材であり、
前記第１加圧部と前記第２加圧部には、前記発熱繊維が前記関節用の被覆材から突出して配置されている関節用の被覆材。
【請求項４】
位置固定するための留め部と、
中央に位置し、発熱繊維が存在しない第１加圧部と、
前記中央の両端に位置し、前記発熱繊維が長手方向に平行に配置された第２加圧部と、を含む顔用の被覆材であり、
前記第２加圧部には、前記発熱繊維が前記顔用の被覆材から突出して配置されている顔用の被覆材。
【請求項５】
前記発熱繊維は、複数の四角形の領域で形成されている請求項１から４のいずれか１項に記載の被覆材。
【請求項６】
前記留め部には、樹脂層が設けられている請求項１から５のいずれか１項に記載の被覆材。
【請求項７】
前記留め部が前記被覆材の両端部にあり、前記留め部のそれぞれに前記樹脂部が設けられている請求項１から６のいずれか１項に記載の被覆材。
【請求項８】
前記樹脂層は、前記下肢被覆材の両端部と、前記両端部の間で前記発熱繊維と異なる前記被覆材とに、設けられている請求項１から７のいずれか１項に記載の被覆材。
【請求項９】
前記樹脂層は、ＪＩＳ  Ｋ  ６２５２の硬度で、０．１以上８０以下である請求項６から８のいずれか１項に記載の被覆材。
【請求項１０】
前記樹脂層として、シリコン樹脂、スチレン系エラストマー、イソプレン系エラストマーを用いてなる請求項６から８のいずれか１項に記載の被覆材。
【発明の詳細な説明】
【技術分野】
【０００１】
本発明は、人が体に身に付ける被覆材に関する。特に、血流及びリンパ液流の促進効果を有する被覆材に関する。
【背景技術】
【０００２】
足裏には、数多くのツボや反射区と呼ばれる部位があり、それらのポイントを刺激することによって、内蔵の働きを活発にし、血行をよくするというような効果が得られることがよく知られている。そのために、足裏の刺激やマッサージは、例えば、健康の維持や疲労の回復に有効とされている。
【０００３】
また、人間の血液の約３分の２は下半身に集中しており、下半身には全身の筋肉の約６割合があると言われている。心臓から離れた下半身に送られた血液は、酸素や栄養分を含む水分を細胞に渡し、同時に細胞から水分などを回収して、静脈を通って心臓に戻る。この循環にはリンパ管を流れるリンパ液が、残った水分、余った栄養分、老廃物を回収するという重要な役割を果たしており、このリンパ液は、リンパ管を通って静脈に合流し、心臓に戻される。
【０００４】
一方、筋肉には静脈の毛細血管が張り付いており、筋肉は、筋肉自身が収縮することによって、下肢などに溜まったリンパ液を含む血液を心臓に戻すポンプとしての役割を果たしている。ふくらはぎなどの筋肉のポンプ作用が低下すると、「むくみ」や「冷え」などの体調不良を引き起こすとされている。
【０００５】
したがって、足裏や下肢などの刺激やマッサージを行うことができる様々な器具や靴下などの装着具が提案され、実用化されている。疲労感の解消や下肢のむくみの予防などに有効で、家庭内やオフィスなどで比較的手軽に利用できるものとして、マッサージ効果のある靴下型のものが提案されている。
足裏の刺激又はマッサージを行うことを目的として、例えば、特許文献１に開示されている靴下タイプのものがある。
【０００６】
特許文献１に開示されている従来の下肢被覆材１０を、図１２（ａ）、図１２（ｂ）を用いて、説明する。図１２（ａ）は、従来の下肢被覆材１０を足１４に付いた状態の側面図である。図１２（ｂ）は、従来の下肢被覆材１０の展開図である。展開図は、模式的に、長方形として示している。
【０００７】
下肢被覆材１０が、足１４に装着されている。第１加圧部１１と第２加圧部１２と留め部１３を有する。第１加圧部１１と第２加圧部１２とは、繊維の織り方を他の部分と変えて、その部分を厚くしている。この結果、第１加圧部１１と第２加圧部１２の部分は、足１４を加圧する。
【０００８】
第１加圧部１１の部分は、足１４の前面のリンバ管の位置に相当する。第２加圧部１２の部分は、足１４の後面のリンバ管の位置に相当する。
結果、リンパ管に刺激を与え、血液の流れをよくしている。
【先行技術文献】
【特許文献】
【０００９】
【特許文献１】特開２００６−２１９８０５号公報
【発明の概要】
【発明が解決しようとする課題】
【００１０】
しかし、上記従来の下肢被覆材１０では、第１加圧部１１と第２加圧部１２とで足１４を加圧するのみで、十分にリンパ管内の血液の流れをよくできなかった。
よって、本願発明の課題は、加圧のみの被覆材より、リンパ管の流れをより活性化する被覆材を提供することである。
【課題を解決するための手段】
【００１１】
上記課題を解決するため、位置固定するための留め部と、前方に位置し、斜め方向に配置された第１加圧部と、後方に位置し、上下方向に配置された第２加圧部と、を含む下肢用の被覆材であり、前記第１加圧部と前記第２加圧部には、発熱繊維が前記下肢用の被覆材から突出して配置されている下肢用の被覆材を用いる。
また、位置固定するための留め部と、中央に位置し、発熱繊維が、長手方向に垂直方向に配置された第１加圧部と、両端に位置し、前記発熱繊維が、前記長手方向に平行方向に配置された第２加圧部と、を含む関節用の被覆材であり、前記第１加圧部と前記第２加圧部には、前記発熱繊維が前記関節用の被覆材から突出して配置されている関節用の被覆材を用いる。
また、位置固定するための留め部と、中央に位置し、発熱繊維が存在しない第１加圧部と、
前記中央の両端に位置し、前記発熱繊維が長手方向に平行に配置された第２加圧部と、を含む顔用の被覆材であり、前記第２加圧部には、前記発熱繊維が前記顔用の被覆材から突出して配置されている顔用の被覆材を用いる。
【発明の効果】
【００１２】
本願発明の被覆材では、足など人体を加圧、加熱することで、リンパ液の流れをよくし、人の健康を維持できる。
【図面の簡単な説明】
【００１３】
【図１】（ａ）実施の形態１の下肢被覆材側面図、（ｂ）（ａ）の下肢被覆材の展開図、（ｃ）（ｂ）の展開図
【図２】（ａ）実施の形態１の下肢被覆材の展開図、（ｂ）〜（ｃ）下肢被覆材の側面図
【図３】（ａ）〜（ｃ）実施の形態２の下肢被覆材の展開図、（ｄ）〜（ｆ）実施の形態２の下肢被覆材の断面図
【図４】（ａ）〜（ｂ）実施の形態２の下肢被覆材の側面図、（ｃ）（ｂ）の展開図、（ｄ）実施の形態２の下肢被覆材の側面図
【図５】（ａ）〜（ｂ）実施の形態２の下肢被覆材の留め部の拡大図
【図６】（ａ）実施の形態３の関節用の被覆材側面図、（ｂ）実施の形態３の関節用の被覆材側面図
【図７】実施の形態４の顔被覆材を装着した斜視図
【図８】（ａ）実施の形態４の顔被覆材の内側平面図、（ｂ）（ａ）の断面図
【図９】（ａ）実施の形態４の顔被覆材を顔に付けた時の内側の配置を示す図、（ｂ）（ａ）の断面図
【図１０】（ａ）〜（ｃ）実施の形態４の顔被覆材の変形例の平面図
【図１１】実施の形態４の顔被覆材の断面図
【図１２】（ａ）従来の下肢被覆材の側面図、（ｂ）従来の下肢被覆材の展開図
【発明を実施するための形態】
【００１４】
（実施の形態１）
＜全体構成＞
図１（ａ）は、実施の形態１の下肢被覆材２０を足１４に着けた側面図である。下肢被覆材２０は、第１加圧部２１と第２加圧部２２と留め部２３と本体部３４とからなる。
第１加圧部２１は、前方に位置し、足１４の前方にあるリンパ管を加圧する。
第２加圧部２２は、後方に位置し、足１４の後方にあるリンパ管を加圧する。
図１（ｃ）のところで説明するが、第１加圧部２１、第２加圧部２２とも、本体部３４の平面より出て、突起状となっている。その部分で、足１４のリンパ管を加圧する。
【００１５】
留め部２３は、下肢被覆材２０の位置が足１４からずれないように、足１４に下肢被覆材２０を固定するためのところである。
本体部３４は、全体を保持する土台である。
ここで、第１加圧部２１と第２加圧部２２とには、発熱繊維３３が配置されている。
【００１６】
発熱繊維３３は、吸湿発熱繊維素材を構成する吸湿発熱繊維である。例えば、アクリレート系繊維「エクス」「ブレスサーモ」（東洋紡（株）登録商標）や「サンバーナ」（東邦テキスタイル株式会社登録商標）や「ヒートテック」（ユニクロ株式会社登録商標）「ウオームサーバ繊維」（東レ株式会社登録商標）が使用できる。
【００１７】
発熱繊維３３による発熱と加圧により、リンパ管が加圧、かつ、加熱される。結果、リンパ管内の血液の流れをよりよくできる。結果、健康促進に効果があり美容効果も高い。
＜発熱繊維の配置＞
図１（ｂ）に、下肢被覆材２０を展開した模式図を示す。実際は四角形でないが、模式的に四角形で表現している。
【００１８】
下肢被覆材２０は、前方部３１と後方部３２と留め部２３との領域に分けることができる。
前方部３１と後方部３２には、発熱繊維３３が編み込まれている。発熱繊維３３は、複数本が１つの塊（四角形形状の領域）として配置されている。この場合外周の２本で一組を示している。全部で１０組である。各組が、足１４のリンパ管に対応している。２本の間に、別の発熱繊維３３を配置してもよい。四角形領域として、その領域内のリンパ管を加圧加熱するようにしている。領域の内側を全て、発熱繊維３３で形成してもよいが、発熱繊維３３を形成しない部分を設けて開けてもよい。
【００１９】
前方部３１では、発熱繊維３３は、上方が上下方向の直線で、下方が斜めとなっている。斜め部分の間隔３６は一定である。３組の発熱繊維３３の領域が設けられている。斜め部分の水平方向に対する角度θは、約６０度である。４５度〜７５度が好ましい。リンパ管内のリンパ液を上方へ流すため、角度が大きめとなっている。
後方部３２では、発熱繊維３３は、上下方向の直線である。４組の発熱繊維３３が設けられている。
【００２０】
ここで、発熱繊維３３の領域は、リンパ管に相当する位置に設けられている。発熱繊維３３を全体に設けると、全体が暖められ、リンパ管の血流も促進されるが、足１４全体がむくれる。長時間装着できない。
一方、この例のように、領域化してリンパ管部分のみを暖めると、効率的に血流の速度が増加する。長時間の使用も可能である。
【００２１】
図１（ｃ）に、下肢被覆材２０の下部の断面図を示す。本体部３４に発熱繊維３３を編み込んでいる。上方が、足１４に接する方向である。下肢被覆材２０を足１４とはめると、自然に自動で、発熱繊維３３で足１４が加圧される。
図２（ａ）は、下肢被覆材２０の展開図である。図１（ｂ）に相当する図である。展開する箇所が異なる。後方部３２を中心に展開している。
【００２２】
図２（ａ）からわかるように、中央部分（足１４の真裏）では、発熱繊維３３がなく、離れるに従い、発熱繊維３３の組の間隔が狭くなっている。結果、足１４の側面のところで一番、発熱繊維３３の密度が高くなっている。側面のリンパ管を主に利用してリンパ液の全体の流れを促進している。
＜外観＞
図２（ｂ）、図２（ｃ）は、下肢被覆材２０を足１４にはめた状態の側面図である。発熱繊維３３は、いずれも、足１４の表面に位置する。つまり、下肢被覆材２０の内面側である。図２（ｂ）では、その発熱繊維３３は、下肢被覆材２０の内側に位置するので、よくわからない。図２（ｃ）では明確に発熱繊維３３の位置がわかる。
【００２３】
図２（ｃ）では、発熱繊維３３の位置に合わせて、ダミーパターン３９を、下肢被覆材２０の表面に設けている。この結果、下肢被覆材２０を身に付けている人は、ダミーパターン３９を見ながら、下肢被覆材２０の位置を修正できる。リンパ管と発熱繊維３３の位置が合いやすい。ダミーパターン３９がないと、下肢被覆材２０がねじれているかどうかがわからない場合がほとんどである。
なお、ダミーパターン３９は、別途、本体部３４と異なる色の繊維としてもよい。また、くぼみや凹凸など形状として、外観でわかるようにする事により位置が認識しやすくなる。
【００２４】
＜実施の形態１の効果＞
発熱繊維３３を、リンパ管に対応して配置し、加熱加圧で、リンパ管を暖め、血流を高め、血行をよくできる。複数の発熱繊維３３を組みにして、一定領域として、リンパ管に対応させているので、他の部分を暖めず、効果的且つ選択的に、リンパ管を暖め、リンパ液の液流を促進する。
【００２５】
（実施の形態２）（留め部２３）
この実施の形態に係る下肢被覆材２０を図３（ａ）〜図３（ｆ）に基づいて説明する。図３（ａ）〜図３（ｃ）は、下肢被覆材２０の展開図である。図３（ｄ）と図３（ｅ）は、下肢被覆材２０のところの断面図である。図３（ｄ）は、留め部２３に平行方向の断面図である。図３（ｅ）は、留め部２３に垂直方向の断面図である。図３（ｆ）は、図３（ｅ）の留め部２３の部分の拡大図である。
【００２６】
実施の形態１と異なる点は、留め部２３の部分である。留め部２３に樹脂部３５を設けることで、足１４との密着性が向上し、下肢被覆材２０の位置がずれにくい。樹脂部３５は、主に、圧力で下肢被覆材２０を足１４に留めるのでなく、密着性により、下肢被覆材２０を足１４に留める。結果、発熱繊維３３の加圧加熱による血流（リンパ液）の流れを阻害しない。さらに、樹脂部３５は樹脂材料からなり、足１４に潤いをもたらす。
【００２７】
その他説明しない事項は実施の形態１と同様である。
留め部２３は、本体部３４と、その表面に形成された樹脂部３５とから構成されている。本体部３４は、織物、編物または不織布などを用いることができる。これらを構成する繊維としては、例えば、羊毛、綿、麻、絹などの天然繊維、または、ナイロン系繊維、アクリル系繊維、ポリエステル系繊維、ポリエチレン系繊維、ポリプロピレン系繊維、ポリウレタン系繊維、ポリ酢酸ビニル系繊維、レーヨン、キュプラ（替録商標）、プロミツクス（登録商標）、これらの合成繊維、並びにこれら合成繊維と天然繊維との混合繊維を使用することができる。
【００２８】
編物の組織としては、上記の繊維からなる、よこ糸のみで編むよこ編、たて糸のみで編むたて編、または、これらの組み合わせたものを適用可能である。また、織物の組織としては、平織、斜文織、朱子織、または、これらの組み合わせたものを適用可能である。不織布の製法としては、スパンボンド法、メルトブローン法、ケミカルボンド法、サーマルボンド法などを適用することができる。
【００２９】
本体部３４の表面に形成される樹脂部３５は、以下のものが好ましいが、以下に限定されない。同じ物性の樹脂でもよい。
樹脂部３５として、ビニル基を含有するシリコーン樹脂モノマー（Ａ）を１００質量部、前記シリコーン樹脂モノマー（Ａ）に付加重合を起こさせる水素基を含有する硬化剤（Ｂ）を８質量部以下、１２質量部以下、カルボン酸エステルからなる軟化剤（Ｃ）を３質量部以上、３０質量部以下を含む樹脂組成物からなり、その樹脂組成物を下肢被覆材２０の布帛本体工の肌に接触する部位の少なくとも一部に塗工して、硬化させることで形成される。
【００３０】
（ビニル基を含有するシリコーン樹脂モノマー（Ａ））
上記樹脂組成物のビニル基を含有するシリコーン樹脂モノマー（Ａ）としては、付加重合型のもの、例えば、末端ビニルポリジメチルシロキサン、ビニルメチルシロキサンホモポリマー等を挙げることができる。付加重合型のビニル基を含有するシリコーン樹脂モノマーを適用すると、硬化時の脱アルコール反応等による体積や表面形状の変化が少ないため好ましい。具体的に、上記ビニル基を含有するシリコーン樹脂モノマー（Ａ）としては、「ＫＥ−１３１０ＳＴ」（信越化学Ｔ業株式会社製）が商業的に入手することができる
（付加重合を起こさせる水素基を含有する硬化剤（Ｂ））
付加重合を起こさせる水素基を含有する硬化剤（Ｂ）としては、１分子中に１以上の酸として解離可能な水素基を有する化合物を挙げることができ、上記ビニル基を含有するシリコーン樹脂モノマー（Ａ）と付加重合反応可能である必要がある。具体的に、「ＣＡＴ―１３００Ｌ−４」（信越化学工業株式会社製）が商業的に入手することができる。
【００３１】
また、硬化剤（Ｂ）としては、ビニル基を含有するシリコーン樹脂モノマー（Ａ）
１ＯＯ質量部に対して、８質量部以上、１２質量部以下で含有される。含有量が８質量部未満であれば、硬化が不十分となり、１２質量部を超えると、硬化速度が速くなり、後述の塗工工程を行うことができない。
【００３２】
（軟化剤（Ｃ））
樹脂組成物の軟化剤（Ｃ）としては、カルボン酸エステルを挙げることができる。例えば、脂肪族モノカルボン酸モノアルキル、脂肪族ジカルボン酸ジアルキル、脂肪族ジカルボン酸ジアルコキシアルキルなどの脂肪族カルボン酸エステルが挙げられる。具体的には、フタル酸ジノニル、アジピン酸ビス（２−エチルヘキシル）、アセチルクエン酸トリブチル、アルキルスルホン酸フェニルエステルが挙げられる。
【００３３】
上記軟化剤（Ｃ）としては、ビニル基を含有するシリコーン樹脂モノマー（Ａ）１００質量部に対して、３質量部以上、３０質量部以下で含有される。含有量が３質量部未満であれば、樹脂部３５が硬くなり過ぎ、肌への密着性の確保が難しい。一方、含有量が３０質量部を超えると、樹脂部３５が軟らかくなり過ぎ、摩擦により本体部３４から剥がれ易くなり、耐久性を確保することが難しい。
【００３４】
上記樹脂組成物は、必要に応じて、保温付与剤（Ｄ）をさらに含有させることができる。その保湿付与剤（Ｄ）としては、オリーブオイル、アルガンオイル、亜麻仁油、ツバキオイル、ヒマワリオイルなどの植物油、ヒアルロン酸ナトリウム、ヘパリン類似物質、コンドロイチン硫酸ナトリウム、コラーゲン、エラスチン、ケラチン、キチン、及びキトサンのような高分子化合物、グリシン、アスパラギン酸、及びアルギニンのようなアミノ酸、乳酸ナトリウム、尿素、及びピロリドンカルボン酸ナトリウムのような天然保湿化合物などが挙げられる。
【００３５】
上記保湿付与剤（Ｄ）としては、ビニル基を含有するシリコーン樹脂モノマー（Ａ）１００質量部に対して、０．５質量部以上、３質量部以下で含有される。含有量が０．５質量部未満であれば、保湿付与剤による保温効果が発揮されず、３質量部を超えると、樹脂部３５からの染み出し量が多くなり本体部３４を汚す恐れがある。
【００３６】
この発明に係る樹脂部３５は、以下の方法によって製作することができる。
まず、ビニル基を含有するシリコーン樹脂モノマー（Ａ）に、カルボン酸エステルからなる軟化剤（Ｃ）及び保湿付与剤（Ｄ）を混合して十分に撹拝する。その後、上記硬化剤（Ｂ）を混合撹拝して、減圧脱泡を行い、樹脂組成物を作成する。なお、上記硬化剤（Ｂ）を混合撹絆する際、微量のＰｔ触媒を含有させ、硬化を促進させることも可能である。
【００３７】
続いて、樹脂組成物を本体部３４の一部表面に塗工する。塗工方法としては、バーコークー、ブレードコーター、ロールコークーなどの公知のコーター、スクリーン印刷、インクジェット印刷などの印刷方法を適用することができる。なお、樹脂組成物は、本体部３４の一部の面にパターン塗工してもよく、必要に応じて、本体部３４の全面に塗工してもよい。
【００３８】
本体部３４への樹脂組成物の塗工後、樹脂組成物を硬化させることで、図３（ｆ）に示すように、樹脂部３５が形成される。樹脂部３５は、その厚みを、例えば、０．０５ｍｍ〜０．５ｍｍ（５０μｍ〜５００μｍ）程度に形成される。なお、樹脂部３５の厚みは、発熱繊維３３の厚みと同じかうすいのがよい。発熱繊維３３をより足１４に押しつけるためである。また、硬化を促進する目的で、塗工後、本体部３４に対して熱処理を行ってもよい。この熱処理工程は、本体部３４を構成する繊維にダメージを与えない温度で行われる。例えば、８  ０℃〜１１０℃の範囲が好ましい。
【００３９】
また、前記樹脂組成物の硬度は下限値が３以上、上限値が２０以下であることが好ましく、下限値が５以上、上限値が１０以下であることがより好ましい。硬度が３よりも小さいと、肌との摩擦により布帛本体からの剥離が生じやすくなる。硬度が２０を超えると、肌との密着性を確保することができない。なお、上記硬度はデュロメータＡ（ＪＩＳ  Ｋ  ６  １２  ５２に準拠）により測定されるイ直である。
【００４０】
さらに、前記樹脂組成物の引張破断伸度は下限値が５００％以上、上限値が２０００％以下であることが好ましく、下限値が８００％以上、上限値が１５００％以下であることがより好ましい。引張破断伸度が５００％よりも小さいと、肌との摩擦により本体部３４からの剥離が生じやすくなる。引張破断伸度が２０００％を超えると、肌との接触により本体部３４に対して位置ずれが生じる。なお、引張破断伸度は、ＪＩＳ  Ｋ  ６２５工に準拠して、温度２３℃の条件で測定される値である。
【００４１】
上記樹脂組成物の３００％モジュラスは、下限値が２ＭＰａ以上、上限値が３０ＭＰａ以下であることが好ましく、下限値が３ＭＰａ以上、上限値が１ＯＭＰａ以下であることがより好ましい。３００％モジュラスが３ＭＰａよりも低いと、強度が小さくなり、肌との摩擦により布帛本体工からの剥離が生じやすくなる。３００％モジュラスが１ＯＭＰａを超えると、柔軟性が低下して、肌との密着性を確保することができない。なお、３００％モジュラスは、ＪＩＳ  Ｋ  ６２５１に準拠してＪＩＳ８号ダンベル型試験片（厚さ２ｍｍ）を打ち抜くことにより測定した値である。
【００４２】
また、樹脂部３５は、図３（ｆ）に示すように、樹脂組成物を塗工し、硬化させることで形成されているので、本体部３４が織物または編物からなる場合は、そのたて糸、よこ糸またはこれらの間に入り込んだ状態で形成される。本体部３４が不織布からなる場合であっても、その繊維に入り込んだ状態に形成される。樹脂部３５が本体部３４のたて糸、よこ糸（繊維）などの入り込む状態では、摩擦によって樹脂部が本体部３４に対して剥がれ難くなる。
【００４３】
以上のように製作される樹脂部３５は、下肢被覆材２０の内側、足１４に触れる面に形成される。下肢被覆材２０の足１４での位置が変化しない。
上記樹脂部３５はこれを形成する樹脂組成物に上記軟化剤（Ｃ）が含有されているので、本体部３４の形状に対して追従可能な軟らかさを備え、踵への密着性が良好となる。また、足１４に対して樹脂部３５が密着することで、足１４の表面からの水分の蒸発を抑え、乾燥を防止することができる。また、樹脂部３５は、これを形成する樹脂組成物に上記保湿付与剤（Ｄ）が含有されている場合、踵の肌に対する保湿性をさらに高めることが可能である。
【００４４】
樹脂部３５（留め部２３）の位置は、図３（ａ）〜図３（ｃ）に示すような場合がある。図３（ａ）では、下肢被覆材２０の上部、図３（ｂ）では、下肢被覆材２０の上下端、図３（ｃ）では、図３（ｂ）に、さらに、前方部３１の中央部分に樹脂部３５を設ける。
樹脂部３５（留め部２３）により、下肢被覆材２０は足１４に固定される。樹脂部３５が多いほど、位置ずれがなくよい。
【００４５】
また、歩いたり、走ったりすると、留め部２３の内側の樹脂部３５は、足１４との摩擦が大きくなるが、樹脂部３５は下肢被覆材２０として形成される本体部３４のたて糸やよこ糸などに入り込んでいるため、本体部３４から樹脂部３５は剥がれにくい。
＜樹脂部３５について＞
なお、実施例及び比較例中の測定値は、以下の方法により測定を行った。
【００４６】
（１） 硬度
デュロメータＡ（ＪＩＳ  Ｋ  ６２５２に準拠）により測定した。
（２）  引張破断伸度
ＪＩＳ  Ｋ６２５工に準拠して、温度２３℃、試験速度  １ＯＯｍｍ／分の条件でフィルムの主収縮方向と直交する方向（縦方向）について測定した。
【００４７】
（３）  ３００％モジュラス
ＪＩＳ  Ｋ６２５１に準拠してＪＩＳ８号ダンベル型試験片（厚さ２ｍｍ）を作成し、測定した。
（４）密着性
各実施例、各比較例の樹脂組成物をポリエステル系繊維からなる本体部３４の内側にスクリーン印刷により塗工し、１２０℃５分間熱処理をし、２４時間放置後、樹脂部３５を形成した。この下肢被覆材２０を、足１４に着用した状態とし、樹脂部３５の外観を目視により観察した。その外観を下記の評価基準に基づいて評価した。
【００４８】
◎：シワが全く生じない。
○：シワがわずかに見られる。
△：シワが生じて、足形模型の踵との浮き部分が存在する。
【００４９】
×：硬化が不十分、または、シワ、足形模型の踵との浮き部分が顕著に生じる。
印刷条件
印刷速度：１．２５〜２．５ｍｍ／ｓ
塗工厚さ：０．１〜１．０ｍｍ
スキージ硬度：５５〜８５度
また、各実施例、比較例に用いた原材料は、下記の通りである。
【００５０】
（ビニル基を含有するシリコーン樹脂モノマー（Ａ））
・信越化学工業株式会社製  商品名  『ＫＥ−１３１０ＳＴ』、以下、Ａ１と略称する。
（付加重合を起こさせる水素基を含有する硬化剤（Ｂ））
・信越化学工業株式会社製  商品名  『ＣＡＴ−１３００Ｌ−４』、以下、Ｂ１と略称する。
【００５１】
（軟化剤（Ｃ））
・フタル酸ジノニル、以下、Ｃ１と略称する。
・アジピン酸ビス（２−エチルヘキシル）、以下、Ｃ２と略称する。
【００５２】
・アセチルクエン酸トリブチル、以下、Ｃ３と略称する。
・アルキルスルホン酸フェニルエステル、以下、Ｃ４と略称する。
保湿付与材（Ｄ）
オリーブオイル、以下、Ｄ１と略称する。
【００５３】
（実施例１−８、比較例１−８）
表１、２に示す配合からなる実施例１−８、比較例１−８をそれぞれ混合撹拌し、真空脱泡後、１２０℃で５分間熱処理を行い、２４時間放置後、試験片を作成した。
【表１】
2016089290.tif 000003
【表２】
2016089290.tif 000004
【００５４】
得られた実施例１−８、比較例１−８の試験片について、硬度を上記に示す方法により測定し、密着性の評価をした。また、実施例２，５，７、及び８、比較例７，８の試験片について、引張破断伸度、３００％モジュラスを上記に示す方法で測定した。
表１，２より、この発明で規定される組成の樹脂組成物から形成される樹脂部３５（実施１〜６）は、足１４との密着性が優れていた。これに対して、カルボン酸エステルからなる軟化剤（Ｃ）が含有されていない、少ない（比較例１〜５、７及び８）ものは、硬度が高くなり踵部との密着性が不十分となった。また、カルボン酸エステルからなる軟化剤（Ｃ）が多いもの（比較例６）では、十分な重合密度が得られず、結果、踵部との密着性が不十分となった。
【００５５】
また、上記密着性の評価が優れている各実施例に係る下肢被覆材２０に対して、ＪＩＳ  Ｌ０２１７  １０３法に準拠した耐摩擦性、耐洗濯性の評価を行った。評価結果としては、洗濯１回後、１Ｏ回後ともに、樹脂部３５の部分剥離、または樹脂部３５の下肢被覆材２０自体からの剥離は見られず、十分な耐摩耗性、耐洗濯性が得られた。
なお、シリコン樹脂以外に、皮膚への刺激が無く、高弾性、高弾性の高分子が、好ましく、例えば、スチレン系熱可塑性エラストマー（ＳＢＳ：スチレン−ブタジエン−スチレンブロック共重合体、ＳＩＳ：スチレン−イソプレン−スチレンブロック共重合体、ＳＥＢＳ：スチレン−エチレン・ブチレン−スチレンブロック共重合体、ＳＥＰＳ：スチレン−エチレン・プロピレン−スチレンブロック共重合体等）やイソプレン系エラストマーを用いてもよい。これらの材料は、硬度など物性的に上記シリコン樹脂に近く、シリコン樹脂と同様の効果がある。
【００５６】
＜樹脂部３５＞
図４（ａ）〜図４（ｃ）は、下肢被覆材２０を足１４に装着した状態を示す。
図４（ａ）は、図３（ｂ）の留め部２３が上下にあるものである。これら留め部２３が、しっかりと足１４に密着し、下肢被覆材２０の位置がずれない。
【００５７】
図４（ｂ）は、図４（ａ）にさらに、踵に樹脂部３５を設けている。樹脂部３５は、他の例も含めて、下肢被覆材２０の内側に設けられている。樹脂部３５は。足１４との密着性よく、この場合、３つの樹脂部３５で下肢被覆材２０を足１４に固定できる。両端部、中央部の３箇所なので全体として、位置が固定される。
図４（ｃ）は、図４（ｂ）の下肢被覆材２０の展開図である。
図４（ｄ）では、足１４の先端部分にも下肢被覆材２０を設け、発熱繊維３３を設けている。
【００５８】
＜別の例＞
なお、留め部２３として樹脂部３５を設けることを例示したが、別の方式でもよい。
例えば、図５（ａ）は、図４で説明した下肢被覆材２０の断面図である。図５（ｂ）は、別の例の下肢被覆材２０の断面図である。留め部２３として、本体部３４から続く、ところに空間３９を設け、その上に、第２本体部５４を設けている。
【００５９】
空間３９を設けるのは、発熱繊維３３により、加熱加圧されたリンパ液の勢いを増すためである。その後、留め部２３のところへ進め、留め部２３で少し加圧されても、リンパ液の流れはあまり減速されない。
この第２本体部５４は、本体部３４より締め付け力が、同じか弱く、その領域は広く設定する。１５〜３０ｍｍの幅である。編み方や材質を変えて、ソフトに足１４を加圧し、位置がずれを防止する。
【００６０】
（実施の形態３）
図６（ａ）、図６（ｂ）は、上記下肢被覆材２０を、肘、膝に、関節被覆材５０として応用した例である。図６（ａ）は、肘に実施の形態の関節被覆材５０を取り付けたものである。図６（ｂ）は、膝に取り付けたものである。
【００６１】
記載しない事項は、実施の形態１，２と同様である。第１加圧部５１と第２加圧部５２とがある。第１加圧部５１は、膝１７、肘１６のところになる。第２加圧部５２は、第１加圧部５１の両端に位置する。
【００６２】
実施の形態１、２との相違点として、発熱繊維３３の配置がある。第１加圧部５１では、発熱繊維３３が、腕１５、足１４（長手方向）に平行である。第２加圧部５２では、発熱繊維３３が、腕１５、足１４（長手方向）に垂直である。第１加圧部５１は、その発熱繊維３３の密度が、第２加圧部５２より高い。膝１７、肘１６のところはリンパ液のたまりがあり、より発熱を大きくし、流れをよくする。
【００６３】
その他、実施の形態１と同様、樹脂部３５（留め具２３）があり、位置づれしない。発熱繊維３３も２本１対、四角状である。膝、肘の部分の第１加圧部５１が長手方向に垂直に配置されている。この部分は伸びる部分であるが、垂直方向なので影響は少ない。そのため、伸びても、発熱密度はあまり下がらない。特に、膝、肘の部分に樹脂部３５を設けると全体として位置が安定する。
【００６４】
（実施の形態４）マスク
図７は、顔被覆材７０を示す。人が口のところに顔被覆材７０を付けている。図８（ａ）にこの顔被覆材７０の内面の平面図を示す。図８（ｂ）にその断面図を示す。
説明しない事項は上記と同様である。
【００６５】
本体部３４の中央に第１加圧部５１がある。第１加圧部５１には、発熱繊維はない。その両端に第２加圧部５２がある。第２加圧部５２の繊維上に発熱繊維３３が、１対で数か所設けられている。顔被覆材７０は、保持部７２により耳に固定される。発熱繊維３３は、２本が１対で複数設けられている。本体部３４の内面にでるように本体部３４の繊維に編み込まれている。
留め部２３には、上記と同様に、樹脂部３５を設け、その位置が容易に変わらないようにしている。
【００６６】
図９（ａ）に、顔被覆材７０の内部の配置を示す。発熱繊維３３は、顔の内部に位置するリンパ管１０１に沿って、配置されている。
図９（ｂ）に、その時の断面図を示す。発熱繊維３３が、皮膚１０２内のリンパ菅１０１を押すように配置されている。
図１０（ａ）〜図１０（ｃ）に、図８（ａ）の変形例を示す。
【００６７】
図１０（ａ）は、中央に開口７７がある。発熱繊維３３により発熱するため、開口７７で息がしやすいように開口７７を設けている。ただし、口が外部から見えると、デザイン的によくないので、開口７７の部分（口に相当する部分）を開口せず、薄い繊維、繊維間隔をその部分だけ他の部分より広くしてもよい。
【００６８】
図１０（ｂ）は、発熱繊維３３の領域を中央から端部へ向けてしぼめている。リンパ管１０１をより覆いやすい。三角形、台形の領域である。
図１０（ｃ）は、発熱繊維３３を２種類用いている。第１加圧部２１と第２加圧部２３である。リンパ管１０１の密度に合わせて、第２加圧部２３に多くの発熱繊維３３を配置している。
【００６９】
図１１は、実施の形態４の顔被覆材７０の変形例の断面図を示す。発熱部材３３は、伸びにくい繊維８１上にある。それ以外は伸びやすい繊維８２である。この構造により、顔被覆材７０が伸びる時、発熱繊維３３は伸びず、平面あたりの発熱繊維密度が変化せず、局所的に加熱加圧できる。
【００７０】
伸びやすい繊維８２は、綿、アクリル、ナイロン、ポリウレタンが利用できる。さらに、ポリウレタン系繊維、ポリエーテル・エステル系繊維など弾性があるものが利用できる。が利用できる。伸びない繊維８１は、伸びやすい繊維８２の繊維より伸びない繊維、ナイロン繊維などが利用できる。少なくとも伸びやすい繊維８２は、伸びにくい繊維８１より伸びやすい。
【００７１】
また、伸びやすい繊維８２と、伸びにくい繊維部２１とを設けるために、同じ繊維で両部で、編み方を変えてもよい。伸びにくい繊維８１が、伸びやすい繊維８２より繊維密度を多くしてもよい。
また、伸びやすい８２と、伸びにくい繊維８１とで、厚みを変えて、伸びにくい繊維８１が、伸びやすい繊維８２より厚みを大きくしてもよい。
【００７２】
（なお書き）
被覆材は、下肢用、関節用、顔用以外にも応用できる。それぞれのリンパ管の流れに対応するように、発熱繊維を設け、樹脂部を設ければよい。実施の形態は、組み合わせすることができる。
【産業上の利用可能性】
【００７３】
下肢被覆材は、健康用、美容用だけでなく、一般の靴下、ソックスとしても利用できる。
【符号の説明】
【００７４】
１０  下肢被覆材
１１  第１加圧部
１２  第２加圧部
１４  足
１５  腕
１６  肘
１７  膝
２０  下肢被覆材
２１  第１加圧部
２２  第２加圧部
２３  留め部
３１  前方部
３２  後方部
３３  発熱繊維
３４  本体部
３５  樹脂部
３６  間隔
３７  隙間部
３９  ダミーパターン
４１  先端部
５０  関節被覆材
５１  第１加圧部
５２  第２加圧部
５４  第２本体部
７０  顔被覆材
７２  保持部
７７  開口
８１、８２  繊維
１０１  リンパ管
１０２  皮膚
【図１】
2016089290.tif 000005
【図２】
2016089290.tif 000006
【図３】
2016089290.tif 000007
【図４】
2016089290.tif 000008
【図５】
2016089290.tif 000009
【図６】
2016089290.tif 000010
【図７】
2016089290.tif 000011
【図８】
2016089290.tif 000012
【図９】
2016089290.tif 000013
【図１０】
2016089290.tif 000014
【図１１】
2016089290.tif 000015
【図１２】
2016089290.tif 000016